(57)【要約】【課題】  吸水性を損なうことなく取り扱いが容易な吸水体ブロックを提供する。【解決手段】  吸水体ブロックは、例えば普通ポルトランドセメント、早強ポルトランドセメント、アルミナセメント、高炉スラグセメント、シリカセメント、フライアッシュセメント等のセメント類、高炉スラグ、生石灰、消石灰、石膏等の水硬性無機材料をバインダーに用いてセラミック焼結体粒子を結着し、ブロック状にすることによって形成されたものである。【選択図】      なし【特許請求の範囲】
【請求項１】
水硬性無機材料をバインダーに用いてセラミック焼結体粒子を結着してブロック状にしたことを特徴とする吸水体ブロック。
【請求項２】
更に、抗菌剤が添加されている請求項１に記載の吸水体ブロック。
【発明の詳細な説明】
【技術分野】
【０００１】
本発明は、緑化設備等で利用する吸水体ブロックに関する。
【背景技術】
【０００２】
従来、緑化設備等では、セラミック焼結体粒子が吸水性を有することを利用し、該セラミック焼結体をプランター、植木鉢などの植物栽培容器に充填し、該植物栽培容器に水分を貯留させている（例えば、特許文献１参照。）
【特許文献１】特開２００４−２９８１７７号公報
【発明の開示】
【発明が解決しようとする課題】
【０００３】
ところが、セラミック焼結体粒子は、植物栽培容器からこぼれやすく、取り扱いがしづらいという問題がある。
本発明は、このような従来技術に存在する問題点に着目してなされたものである。その目的とするところは、吸水性を損なうことなく取り扱いが容易な吸水体ブロックを提供することにある。
【課題を解決するための手段】
【０００４】
上記の目的を達成するために、請求項１に記載の吸水体ブロックの発明は、水硬性無機材料をバインダーに用いてセラミック焼結体粒子を結着してブロック状にしたことを要旨とする。
上記構成によれば、セラミック焼結体粒子を、バインダーを用いてブロック状にまとめている。このようにブロック状とすれば、粒子状のまま使用することに比べて取り扱いやすくなる。またバインダーに用いる水硬性無機材料は、その硬化物が多孔性であり、セラミック焼結体粒子の吸水性を阻害しない。
【０００５】
請求項２に記載の発明は、請求項１に記載の吸水体ブロックの発明において、更に、抗菌剤が添加されていることを要旨とする。
上記構成によれば、抗菌剤が添加されていることにより、植物栽培で利用する養液の腐敗を防止することができる。
【発明の効果】
【０００６】
本発明によれば、吸水性を損なうことなく取り扱いを容易なものとすることができる。
【発明を実施するための最良の形態】
【０００７】
以下、本発明を具体化した一実施形態について説明する。
本発明の吸水体ブロックは、吸水性を有するセラミック焼結体粒子を、バインダーを用いて結着し、ブロック状とすることによって形成されている。該バインダーには、水硬性無機材料が使用されている。更に、該吸水体ブロックには、抗菌剤が添加されている。
【０００８】
（水硬性無機材料）
本発明において使用される水硬性無機材料としては、例えば普通ポルトランドセメント、早強ポルトランドセメント、アルミナセメント、高炉スラグセメント、シリカセメント、フライアッシュセメント等のセメント類、高炉スラグ、生石灰、消石灰、石膏等が例示される。上記水硬性無機材料 は水存在下において水和反応によって硬化する。
水硬性無機材料の添加量は、セラミック焼結体粒子１００質量％に対し、１０〜５０質量％が望ましい。添加量が１０質量％未満の場合、セラミック焼結体粒子を十分に結着することができず、添加量が５０質量％を超える場合、セラミック焼結体粒子の含有量が低下することにより、吸水体ブロックの吸水性が低下してしまう。
【０００９】
（抗菌剤）
本発明において使用される抗菌剤としては、例えば銀、銅、亜鉛などの金属単体、あるいは該金属の酸化物、亜酸化物、チオシアン酸化合物、炭酸化合物、塩化物、硫酸化物、該金属の合金などの無機金属化合物、該金属を担持したリン酸ジルコニウム、ゼオライト等が例示される。なかでも、銀単体、銀を担持したリン酸ジルコニウム等の銀系抗菌剤は、人体への安全性に優れ、抗菌速度も速く抗菌性能に優れ、安価であるため抗菌剤として望ましい。また銀系抗菌剤を用いる場合に酸化亜鉛を併用すると、抗菌作用の向上を図ることができるとともに、銀の酸化による変色を防止することができるのでなお望ましい。
抗菌剤の添加量は、水硬性無機材料１００質量％に対し、０．１〜１．５質量％が望ましい。添加量が０．１質量％未満の場合、十分な抗菌性を得ることができず、添加量が１．５質量％を超える場合、抗菌性の顕著な向上は見られず、むしろ抗菌剤が無駄となってしまう。
【００１０】
〔実施例１〕
以下に本発明の吸水体ブロックを植栽ユニットに適用した実施例１について、図１〜図３を用いて更に具体的に説明する。
図1に示す下トレイ１は平面形状正方形であって中央部には環状のスペーサー２が設置されており、四周壁３，３，３，３にはそれぞれ連通手段としての通水切欠き部４，４，４，４が形成されている。
上記下トレイ１の内側に上側から嵌着される上トレイ５は該下トレイ１の平面形状に対応して平面形状正方形であり、該下トレイ１よりも一周り小さなサイズに設定されており、中央部には木本類植栽用容器１３を嵌着する嵌着孔６が設けられ、該嵌着孔６の周囲（トレイ四隅）には吸水体ブロック２５を臨出せしめる複数個（４個）の臨出孔７，７，７，７が設けられており、該嵌着孔６上には該木本類植栽用容器１３を嵌着する嵌着筒８が取付けられている。
即ち図３に示すように該嵌着筒８の下周縁には複数個の切欠き８Ａが形成され、更に係止片９の複数個が差出されており、更に上周縁には係止突起９Ａの複数個が差出されている。そして該上トレイ５の嵌着孔６の周縁には係止溝１０Ａを形成した係止具１０の複数個が設けられており、該嵌着筒８を該上トレイ５の底面に載せ若干回転して該嵌着筒８の係止片９を該上トレイ５の嵌着孔６周縁の係止具１０の係止溝１０Ａにそれぞれ係止せしめることによって、該嵌着筒８は該上トレイ５の嵌着孔６上に着脱可能に取付けられる。
【００１１】
本発明の吸水体ブロック２５は、多孔質セラミックを普通ポルトランドセメントで結着し、更に銀系抗菌剤を添加したものであり、円柱状に形成され、該下トレイ１の底面に複数個（４個）載置されている。該吸水体ブロック２５の載置位置は該上トレイ５の臨出孔７，７，７，７に対応する位置とする。
【００１２】
該上トレイ５の底面上には芝、セダム類、野草等の草本類Ｇを植栽した培地１１が載置される。該培地１１としてはヤシ繊維、麻繊維、パルプ、綿繊維等の植物繊維を材料としたマット、吸水性ゴム発泡体シート、セラミック発泡体シート等の吸水性のシートが使用され、中央部該上トレイ５の嵌着孔６に対応する位置に開孔１２が設けられている。
【００１３】
該上トレイ５の嵌着筒８の内側には木本類Ｔを植栽した木本類植栽用容器１３が嵌着される。該木本類Ｔとしては、例えばアベリア、ツツジ、サツキ、クチナシ、コトネアスター、シャリンバイ、ジンチョウゲ、ナギイカダ、斑入りナワシログミ、ナンテン（オタフク・ササバ）、ヒイラギナンテン（冬咲き・ナリヒラ）、ヒサカキ、トキワマンサク、アカバナトキワマンサク、アセビ、レッドロビン、ツバキ、サザンカ、カクレミノ、ヤブコウジ、アメリカイワナンテン、ヒベリカム（ヒデコート・カリシナム）、ヒカゲツツジ、ゴモジュ、ニワデマリ、ハマヒサカキ、カンツバキ、カラタネオガタマ、ヒイラギモチ、サルココッカ、ミヤマシキミ、トキワレンゲ、マンリョウ、コニファー類、ヒメイチゴノキ、四川トキワガキ、ローズマリー等の常緑樹、アジサイ、ウツギ、オウバイ、コデマリ、シロヤマブキ、シモツケ、ニシキギ、バイカウツギ、ハギ、ボケ、レンゲツツジ、ミツバツツジ、コムラサキ、ムラサキシキブ、メギ、ユキヤナギ、レンギョウ、ニワフジ、ハクチョウゲ、ツクバネウツギ、コバノズイナ、トサミズキ、ヒュウガミズキ、ニワウメ、ハナズオウ、アブラチャン、ダンコウバイ、マンサク、ガクウツギ、ショウキウツギ、ブルーベリー、ムクゲ、アメリカザイフリボク、ホザキナナカマド等の落葉樹、アケビ、ムベ、イタビカズラ、カロライナジャスミン、スイカズラ、セイヨウキヅタ、ツルバラ、ツリガネカズラ、ツキヌキニンドウ、ツルアジサイ、ツルウメモドキ、アメリカツルマサキ、テイカカズラ、ナツヅタ、フユヅタ、ノウゼンカズラ、ハゴロモジャスミン、ビナンカズラ、フジ、常緑性クレマチス、クレマチス、ウンナンオウバイ、サッコウフジ、ナツユキカズラ、ハツユキカズラ、ウキツリボク、ツルハナナス、トラノツメ、イワガラミ、ツルニチニチソウ等の木性つる植物等がある。そして該木本類Ｔと該容器１３との間には支持手段としてベルト１６が差設され、該木本類Ｔが倒れないよう支持される。該ベルト１６は４本の板部１７，１７，１７，１７を有し、中央には該木本類Ｔを通す通し孔１８が設けられ、各板部１７の末端には係止孔１９が設けられており、該ベルト１６の通し孔１８に木本類Ｔの幹を通し、係止孔１９を該嵌着筒８の係止突起９Ａにそれぞれ係止する。
該容器１３の下部には切欠き１３Ａの複数個が設けられており、更に該容器１３内下部にはネットまたは防根シート１４が張設されており、その上からは土壌、木粉、植物粉、セラミック粉等の人口土壌からなる培地Ｍが充填され、更に該容器１３の切欠き１３Ａからは該容器１３内の該培地Ｍに通じるシート状吸水体１５が垂下される。
該容器１３は該切欠き１３Ａの位置と該嵌着筒８の切欠き８Ａの位置と合致するように該嵌着筒８内に嵌着される。
【００１４】
上記植栽ユニットＰＵの下トレイ１に水（雨水）または肥料、栄養剤、殺菌剤等を溶解した養液Ｗを充填する。該水または養液Ｗは、吸水体ブロック２５によって吸水されて草本類Ｇを植栽する培地１１に供給される。なお、木本類Ｔを植栽する培地Ｍには、シート状吸水体１５によって吸水された該水または養液Ｗが供給される。
【００１５】
上記下トレイ１および上トレイ５は、謂わば「植物栽培容器」であり、吸水体ブロック２５は、該植物栽培容器内に収容して使用される。該吸水体ブロック２５は、該下トレイ１の底面に「載置」して使用するのであり、セラミック焼結体粒子を粒子状のまま「充填」する使用形態とは異なる。即ち、セラミック焼結体粒子を粒子状のまま使用すると、いくら均一に充填しようとも、植物栽培容器を傾けたり、水または養液Ｗが流動したりすることでセラミック焼結体粒子が不均一に片寄ったり、こぼれたりしてしまうが、吸水体ブロック２５として使用すれば、載置位置を明確に定めることができ、またこぼれることもなく、取り扱いやすいものとなる。
【００１６】
〔実施例２〕
次に、本発明の実施例２を図４〜図６を用いて具体的に説明する。
図４に示すように、実施例２においてトレイを構成するトレイ本体３０は、平面形状正方形に形成されており、その中央部には木本類植栽用容器１３ａを載置するための第１凹部３１が形成されている。
該トレイ本体３０において、第１凹部３１の外周には吸水体ブロック２５ａを収納するための第２凹部３２が形成され、さらに該第２凹部３２の外周には第３凹部３３が形成されている。これら第１凹部３１、第２凹部３２及び第３凹部３３は、それぞれの内部が連通溝３４を介して繋がっており、第１凹部３１、第２凹部３２及び第３凹部３３の内部を水、養液等が行き来したり、それぞれの内部に貯留されたりするようになっている。
【００１７】
該木本類植栽用容器１３ａは、第１凹部３１の内側に嵌合されることにより、該トレイ本体３０に対して着脱自在に固定されており、その転倒を防止されている。さらに該トレイ本体３０の四周壁において中央上部には、それぞれ連通手段としての通水切欠き部４（図示しない）が形成されるとともに、これら通水切欠き部４には、該トレイ本体３０と他のトレイ本体とを連結するための連結用固定具２０ａが装着されている。そして、該木本類植栽用容器１３ａの底部には通水孔が設けてあり（図示しない）、第１凹部３１に貯留されている水や養液が該通水孔を介して該木本類植栽用容器１３ａの土壌に供給されるようになっている。
【００１８】
図５に示すように、実施例２において吸水体ブロック２５ａは、ドーナツ状（円筒状）に形成されている。そして該吸水体ブロック２５ａは、上記第２凹部３２の内側に収納載置されるようになっている。
【００１９】
図６に示すように、上記トレイ本体３０において、第１凹部３１、第２凹部３２及び第３凹部３３の内側には水や養液等が貯留されており、さらに第２凹部３２の内側には上記吸水体ブロック２５ａが収納されている。また吸水体ブロック２５ａの上には樹脂製フィルムからなる防根シート３５が敷かれており、さらに該防根シート３５の上には培地１１ａが載置されており、この培地１１ａ上に芝などの草本類Ｇが植栽されることとなる。そして、上記第２凹部３２の内部に貯留された水、養液等は、該吸水体ブロック２５ａによって吸水されて草本類Ｇを植栽する培地１１ａに供給される。
一方、該トレイ本体３０の中央で第１凹部３１の内側に着脱自在に嵌合固定された木本類植栽用容器１３ａには、木本類Ｔが植栽されることとなり、上記第１凹部３１の内部に貯留された水、養液等が該木本類植栽用容器１３ａの底部の通水孔を介して木本類Ｔに供給される。さらに木本類植栽用容器１３ａの上縁には、木本類Ｔが倒れないよう支持する支持手段として、平面形状星形の枠１６ａがその３箇所の頂点で着脱自在に固定されている。
【産業上の利用可能性】
【００２０】
本発明の吸水体ブロックは、硬化物が多孔性となる水硬性無機材料をバインダーに用いてセラミック焼結体粒子を結着してブロック状にしたので、吸水性を損なうことなく取り扱い易いものに出来るから、産業上利用可能である。
【図面の簡単な説明】
【００２１】
【図１】実施例１の植栽ユニットの分解斜視図。
【図２】実施例１の植栽ユニットの中央側断面図。
【図３】実施例１における嵌着筒取付け構造の説明斜視図。
【図４】実施例２の植栽ユニットの分解斜視図。
【図５】実施例２の吸水体ブロックの斜視図。
【図６】実施例２の植栽ユニットの中央側断面図。
【符号の説明】
【００２２】
１            下トレイ
５            上トレイ
８            嵌着筒
１１、Ｍ        培地
２５，２５ａ    吸水体ブロック
３０            トレイ本体
Ｗ            水または養液
Ｔ          木本類
Ｇ          草本類
ＰＵ          植栽ユニット
【図１】
2009045016.tif 000002
【図２】
2009045016.tif 000003
【図３】
2009045016.tif 000004
【図４】
2009045016.tif 000005
【図５】
2009045016.tif 000006
【図６】
2009045016.tif 000007